(57)【要約】【課題】  ヒートコレクターやカバープレートが吸収した熱を効率よく感熱分解部に伝達することが可能なヒートコレクターを有するスプリンクラーヘッドを提供する。【解決手段】  感熱分解部４と接続されるヒートコレクター５には放射状に複数の羽根が形成され、複数枚の羽根は、水平方向に延伸された羽根１２と、下方に延伸された羽根１３とから構成される。また、前記ヒートコレクター５は弾性を有する材料より形成され、スプリンクラーヘッドを覆い隠すカバープレート１５と接触または近接して設置される。【選択図】    図１
2005279083.tif 000002
【特許請求の範囲】
【請求項１】
水源に通じた給水管と接続され、常時は感熱分解部により弁体が閉止されており、感熱分解部と接続されているヒートコレクターを有しており、ヒートコレクター部分が天井面から突出して設けられているスプリンクラーヘッドにおいて、ヒートコレクターには放射状に複数の羽根が形成され、複数枚の羽根は水平方向に延伸された羽根と、下方に延伸された羽根とから構成されていることを特徴とするスプリンクラーヘッド。
【請求項２】
前記ヒートコレクターは弾性を有する材料より形成され、スプリンクラーヘッドを覆い隠すカバープレートと接触または近接して設置されていることを特徴とする請求項１記載のスプリンクラーヘッド。
【請求項３】
前記ヒートコレクターにおいて、下方に折り曲げられた羽根の先端が、外側に屈曲されていることを特徴とする請求項２記載のスプリンクラーヘッド。
【発明の詳細な説明】
【技術分野】
【０００１】
本発明は、建物内に設置される消火用のスプリンクラーヘッドであり、特に天井内に埋め込まれて設置され、ヒートコレクター部分が天井面から突出しているスプリンクラーヘッドに関するものである。
【背景技術】
【０００２】
従来のスプリンクラーヘッドとして、スプリンクラーヘッドのヒートコレクターが、該スプリンクラーヘッドを覆い隠すカバープレートと常に接触されている構造のものがある（例えば、特許文献１参照。）。
【０００３】
上記のスプリンクラーヘッドを、図８、９に示す。図８は上記スプリンクラーヘッドの断面図、図９は図８のスプリンクラーヘッドのヒートコレクターの平面図である。図８に示すようにヒートコレクター３０の先端がカバープレート５０と接触しており、ヒートコレクター３０は渦巻き形状をしている。
【０００４】
ヒートコレクターを渦巻き形状としたことで、設置場所によって天井面の高さとスプリンクラーヘッド設置高さ位置に差異があってもヒートコレクター３０が高さ方向に対して伸縮することが可能であり、常にカバープレート５０と接触された状態となる。
【０００５】
カバープレート５０は、スプリンクラーヘッドを覆い隠すものであり、低融点合金５１によってスプリンクラーヘッドＨと係合しているハウジング４０と接合している。火災時には火災の熱によって低融点合金５１が溶融し、カバープレートが落下するものである。
【０００６】
図８のスプリンクラーヘッドにおいて、火災が発生すると天井下面に漂う火災の熱をカバープレート５０が吸収する。カバープレート５０と接触しているヒートコレクター３０を介してスプリンクラーヘッドの感熱分解部２０にも熱が伝わることから、低融点合金５１が溶融してカバープレート５０が落下してから間もなくスプリンクラーヘッドＨが作動して火災の初期段階で消火・抑制が行なわれるものである。
【０００７】
【特許文献１】特開２００３−２６５６４２号公報
【発明の開示】
【発明が解決しようとする課題】
【０００８】
上記のスプリンクラーヘッドは、ヒートコレクター３０が渦巻き形状であり、先端がカバープレートと接触しており、中央部３２がスプリンクラーヘッドＨの感熱分解部２０と接続されている。ヒートコレクターの先端３１から吸収した熱は、感熱分解部２０に接続される中央部３２まで伝熱するまでに、距離が長いので損失が生じてしまい、カバープレートが吸収した熱を感熱分解部に伝える伝熱効率が思いのほか低いという問題があった。
【０００９】
そこで本発明では、上記問題に鑑み、ヒートコレクターやカバープレートが吸収した熱を効率よく感熱分解部に伝達することが可能なヒートコレクターを有するスプリンクラーヘッドを提供することを目的としている。
【課題を解決するための手段】
【００１０】
上記の目的を達成するために、請求項１記載の発明は、水源に通じた給水管と接続され、常時は感熱分解部により弁体が閉止されており、感熱分解部と接続されているヒートコレクターを有しており、ヒートコレクター部分が天井面から突出して設けられているスプリンクラーヘッドにおいて、ヒートコレクターには放射状に複数の羽根が形成され、複数枚の羽根は水平方向に延伸された羽根と、下方に延伸された羽根とから構成されているスプリンクラーヘッドである。
【００１１】
請求項２記載の発明は、前記ヒートコレクターが弾性を有する材料より形成され、スプリンクラーヘッドを覆い隠すカバープレートと接触または近接して設置されている請求項１記載のスプリンクラーヘッドである。
【００１２】
請求項３記載の発明は、前記ヒートコレクターにおいて、下方に折り曲げられた羽根の先端が、外側に屈曲されている請求項２記載のスプリンクラーヘッドである。
【発明の効果】
【００１３】
本発明によれば、ヒートコレクターに、放射状に複数の羽根が形成され、複数枚の羽根は水平方向に延伸された羽根と、下方に延伸された羽根から構成されていることで、スプリンクラーヘッドが天井から離れた奥の位置に設置された場合でも、下方に延伸された羽根によって火災時に天井下面を漂う熱気流から効率よく熱を吸収することが可能となる。
【００１４】
また、スプリンクラーヘッドが比較的天井に近い位置に設置された場合には、水平方向に延伸された羽根によって天井下面を漂う熱気流から熱を効率よく吸収することができる。
【００１５】
さらに、ヒートコレクターの羽根が放射状に形成されているので、羽根の先端から感熱分解部と接続される中央部までの長さが短くなり、ヒートコレクター先端から中央部までの熱伝導による損失を最小限にすることができる。
【００１６】
上記のスプリンクラーヘッドにカバープレートを設けることで、ヒートコレクターが隠され、室内の美観に配慮した意匠的に優れたスプリンクラーヘッドとなる。
【００１７】
また、ヒートコレクターを弾性を有する材料より形成したことによって、カバープレートの設置高さに応じてヒートコレクターの下方に延伸した羽根が常にカバープレートの内面に接触され、火災時にカバープレートが吸収した熱をヒートコレクターを介して感熱分解部に伝播することが可能である。
【００１８】
その際、カバープレートを熱伝導性の良好な材料によって形成すると、より一層の伝熱効果を得ることができ、火災時にはカバープレートの落下から間もなくスプリンクラーヘッドが作動するものである。
【００１９】
また、カバープレートと接触するヒートコレクターの羽根の先端を外側に屈曲させておくことで、カバープレートを設置する際に、カバープレートの内面がヒートコレクターの先端に引っかからないので、カバープレートをスムーズに取付けることができる。
【実施例】
【００２０】
以下、この発明の実施例を図１から図７を参照して説明する。図１は本発明のスプリンクラーヘッドの断面図。図２はヒートコレクター部分の拡大断面図。図３は図２の底面図。図４はスプリンクラーヘッドの感熱部とカバープレートが近い位置にある場合の断面図（最小埋め込み状態）。図５はスプリンクラーヘッドの感熱部とカバープレートが離れた位置にある場合の断面図（最大埋め込み状態）。図６はスプリンクラーヘッドカバーが落下した状態。図７はスプリンクラーヘッドが作動した状態を表す。
【００２１】
図１に示す本発明のスプリンクラーヘッドは、本体１、弁体２、デフレクター３、感熱分解部４、ヒートコレクター５から構成される。
【００２２】
本体１は、外周面に設けれらた牡ネジ６によって給水管と接続されている。本体１の内部には導水孔７が穿設されており、末端は弁体２によって閉塞されている。
【００２３】
弁体２には感熱分解部４から導水孔７側に力が加えられている状態であり、この力は火災により感熱分解部４が分解することで解除され弁体２が開放されて導水孔７より水が放出される。
【００２４】
デフレクター３は、導水孔７より放出された水を衝突させて広範囲に水を散布する作用を有するものである。デフレクター３は平時はスプリンクラーヘッドの内部に収容されているが、弁体２の開放とともに複数のピン８によって下方にスライドし、天井面から突出した位置で係止して水を散布する。
【００２５】
感熱分解部４は、前述のとおり熱によって分解する構造であり、例えば特公昭５８−３６９８号に記載されたものがある。感熱分解部については周知されており、本発明の主旨とは外れているので説明は省略する。
【００２６】
ヒートコレクター５は、感熱分解部４の下部に設けられ内部に低融点合金１０が充填されたシリンダー９と接続される。ヒートコレクター５は、弾性を有しており、かつ熱伝導効率が良好な銅やアルミニウム等の薄板によって形成されている。
【００２７】
ヒートコレクター５は、図２および図３に示すように、平板形状のヒートコレクター１１と、放射状に複数の羽根が形成されたものがあり、水平方向に設けられた羽根１２・・・と、下方に折り曲げられた羽根１３・・・とがある。
【００２８】
下方に折り曲げられた羽根１３の先端１４は、外側に折り曲げられている。ヒートコレクター５は弾性を有する材料によって形成されており、羽根１３は自らの弾性によって変形することが可能である。図２、３において、弾性変形時の羽根１３の形状を二点鎖線で示す。
【００２９】
具体的には、図４、図５に示すようにカバープレート１５を設置した状態で、天井面の高さ位置によって感熱分解部４とカバープレート１５の位置が変化しても、羽根１３が変形することでカバープレートと接触した状態となったり、カバープレート１５から少し離れた状態で設置されることができる。
【００３０】
カバープレート１５は、スプリンクラーヘッドによって室内の美観を損ねないためにスプリンクラーヘッドを覆い隠すものである。カバープレート１５は、スプリンクラーヘッドと係止されたハウジング１６に、低融点合金１７によって接合される。低融点合金１７は前述の感熱分解部４に含まれる低融点合金１０よりも低温で溶融するものを用いるのが好ましい。
【００３１】
カバープレート１５は、熱伝導効率が良好な材料によって形成すると、カバープレート１５とヒートコレクターの羽根１３が接触して設置されている場合には、火災時にカバープレート１５が吸収した熱をヒートコレクター５を介してシリンダー９内の低融点合金１０にも伝えることができる。
【００３２】
本実施例においては、カバープレート１５が設けられているスプリンクラーヘッドを説明したが、カバープレート１５を設けない構成とすることも可能である。
【００３３】
次に、上記実施例におけるスプリンクラーヘッドの作動について説明する。
【００３４】
平時において図１に示すように、ヒートコレクター５の羽根１３が弾性変形された状態でカバープレート１５と接触した状態となっている。
【００３５】
火災が発生すると、火災による熱気流が天井下面に漂う。該熱気流の熱をカバープレート１５が吸収して、カバープレート１５とハウジング１６を接合している低融点合金１７に熱を伝播して溶融を促す。また、同時にカバープレート１５からヒートコレクター５を介して感熱分解部４内の低融点合金１０にも熱が伝播される。
【００３６】
伝播された熱によりカバープレート１５を接合している低融点合金１７が溶融してカバープレート１５が落下する。すると、ヒートコレクター５の羽根１３が元の形状に戻り、下方に垂下され天井下面より突出した状態となる。
【００３７】
カバープレート１５が落下したことで、ヒートコレクター５は熱気流から直接熱を吸収して低融点合金１０に熱を伝えて溶融させる。低融点合金１０が溶融すると、感熱分解部４が分解・落下して弁体２が開き、導水孔７より放出された水が室内に散布され、火災を消火・抑制する。
【図面の簡単な説明】
【００３８】
【図１】本発明のスプリンクラーヘッドの断面図
【図２】ヒートコレクター部分の拡大断面図
【図３】図２の底面図
【図４】スプリンクラーヘッドの感熱部とカバープレートが近い位置にある場合の断面図（最小埋め込み状態）
【図５】スプリンクラーヘッドの感熱部とカバープレートが離れた位置にある場合の断面図（最大埋め込み状態）
【図６】スプリンクラーヘッドカバーが落下した状態
【図７】スプリンクラーヘッドが作動した状態
【図８】従来のスプリンクラーヘッドの断面図
【図９】図８のスプリンクラーヘッドのヒートコレクターの平面図
【符号の説明】
【００３９】
１  本体
４  感熱分解部
５  ヒートコレクター
９  シリンダー
１０  低融点合金
１２  水平方向に延伸した羽根
１３  下方に延伸した羽根
１５  カバープレート
【図１】
2005279083.tif 000003
【図２】
2005279083.tif 000004
【図３】
2005279083.tif 000005
【図４】
2005279083.tif 000006
【図５】
2005279083.tif 000007
【図６】
2005279083.tif 000008
【図７】
2005279083.tif 000009
【図８】
2005279083.tif 000010
【図９】
2005279083.tif 000011